(57)【要約】【課題】比較的容易に製造することができ、かつ経年変化が生じにくく、住宅の雰囲気に調和した、引き違い戸を提供する。【解決手段】この引き違い戸１０は、閉じた位置において隣り合う戸先１４，３４が、斜め前方又は斜め後方に移動するための斜面１６，３６が形成され、戸は、芯材５０と芯材の外表面を覆う表面材５２とを有し、芯材５０は、戸先側先端に斜面部５４ａが形成された戸先側芯材５４と、戸の後端側を形成する後端側芯材５６とを有し、表面材５２は、可撓性を有する表面シート６０と、前記表面シート６０の裏面側に設けられた表面板材６２，６４，６６，６８とを有し、前記表面材５２は、表面板材６２，６４，６６，６８の斜め対向面を接近させるように表面シート６０が折り曲げられ、表面板材６２，６４，６６，６８が戸先側芯材５４の外表面に貼着されて、隣り合う戸先に、斜め前方又は斜め後方に移動するための斜面１６，３６が形成されている。【選択図】図３
2007321370.tif 000002
【特許請求の範囲】
【請求項１】
閉じた位置においてフラット配置(平面)された複数の戸が、開閉時に、斜め前方及び／又は斜め後方に移動し且つ一方が他方の前面において平行に移動するように形成された引き違い戸において、
閉じた位置において隣り合う戸先が、前記斜め前方又は斜め後方に移動するための斜面が形成され、
戸は、芯材と芯材の外表面を覆う表面材とを有し、
芯材は、戸先側先端に斜面部が形成され、該戸先に続く表側面及び裏側面が略平面に形成された戸先側芯材と、戸の後端側を形成する後端側芯材とを有し、
表面材は、可撓性を有する表面シートと、前記表面シートの裏面側に設けられた表面板材とを有し、
前記表面板材は、少なくとも、芯材の戸先側先端の斜面部と該戸先側先端に続く表側面との境界の角部及び戸先側先端の斜面部と該戸先側先端に続く裏側面との境界の角部の間の長さ及び貼着面に対応した貼着面が形成され、且つ前記境界の角部に対応した角度を有する斜め対向面が形成され、
前記表面材は、表面板材の斜め対向面を接近させるように表面シートが折り曲げられ、表面板材が戸先側芯材の外表面に貼着されて、前記隣り合う戸先に、前記斜め前方又は斜め後方に移動するための斜面が形成された、引き違い戸。
【請求項２】
前記戸先側芯材は、略平面状表側面に略９０度の角度をもって連設された戸先稜角面部と、該戸先稜角面部に続いて、裏側面に到る斜面部とを有し、
前記表面板材は、少なくとも、戸先側芯材における、表側面と戸先稜角面部との境界の角部、該戸先稜角面部とそれに続く斜面部との境界の角部及び該斜面部と裏側面との境界の角部の間の長さ及び戸先側芯材における貼着面に対応した貼着面が形成され、且つ前記境界の角部に対応した角度を有する斜め対向面が形成された、請求項１に記載の引き違い戸。
【請求項３】
表面材は、戸先側芯材と後端側芯材との間に跨って、平面状に架設された、請求項１または２に記載の引き違い戸。
【請求項４】
表面板材は、芯材側の貼着面と表面シート側の面とが平行な平面状に形成され、芯材の前記境界の角部に対応した位置において、芯材の貼着面に対応した貼着面より表面シート側の面に向けて切削されてなる断面Ｖ字型の斜め対向面が形成された、請求項１ないし請求項３のいずれかに記載の引き違い戸。
【請求項５】
引き違い戸は、左右一対で形成され、
閉位置から開位置に移動させるときに斜め前方に移動する一方の引き違い戸は、戸先側先端の斜面部と該戸先側先端に続く表側面との境界の角度が鋭角に形成されるとともに、他方の引き違い戸は、戸先側先端の斜面部と該戸先側先端に続く裏側面との境界の角度が鋭角に形成された、請求項１ないし４のいずれかに記載の引き違い戸。
【請求項６】
閉じた位置においてフラット配置(平面)された複数の戸が、開閉時に、斜め前方及び／又は斜め後方に移動し且つ一方が他方の前面において平行に移動するように形成された引き違い戸の製法において、
戸先側先端に斜面部が形成され、該戸先に続く表側面及び裏側面が略平面に形成された戸先側芯材と、戸の後端側を形成する後端側芯材とを有する芯材を形成する、芯材を形成するステップと、
可撓性を有する表面シートの裏面側に、少なくとも、芯材の戸先側先端の斜面部と該戸先側先端に続く表側面との境界の角部及び戸先側先端の斜面部と該戸先側先端に続く裏側面との境界の角部の間の長さ及び貼着面に対応した貼着面が形成され、且つ前記境界の角部に対応した角度を有する斜め対向面が形成された表面板材を形成する、表面材を形成するステップと、
前記表面材は、表面板材の斜め対向面を接近させるように表面シートが折り曲げられ、表面板材を戸先側芯材の外表面に貼着して、前記隣り合う戸先に、前記斜め前方又は斜め後方に移動するための斜面を形成する、戸を形成するステップとを含む、引き違い戸の製法。
【請求項７】
前記戸先側芯材は、略平面状表側面に略９０度の角度をもって連設された戸先稜角面部と、該戸先稜角面部に続いて、裏側面に到る斜面部とを有し、
前記表面板材は、少なくとも、戸先側芯材における、表側面と戸先稜角面部との境界の角部、該戸先稜角面部とそれに続く斜面部との境界の角部及び該斜面部と裏側面との境界の角部の間の長さ及び戸先側芯材における貼着面に対応した貼着面が形成され、且つ前記境界の角部に対応した角度を有する斜め対向面が形成された、請求項６に記載の引き違い戸の製法。
【請求項８】
芯材の前記境界の角部に対応した位置において、芯材の貼着面に対応した貼着面より表面シート側の面に向けて切削して断面Ｖ字型の斜め対向面を形成して、表面板材を形成する、請求項６または７に記載の引き違い戸の製法。
【発明の詳細な説明】
【技術分野】
【０００１】
この発明は、たとえば、家の部分の仕切りをするための戸としてとりつけられて用いられ、または、クローゼットドアーなどのような作り付け家具のドアーとして用いられる、引き違い戸およびその製法に関する。
【背景技術】
【０００２】
従来より、閉じた位置においてフラット配置（平面配置）された引き違い戸がいくつか提案されている。
【０００３】
【特許文献１】特開２００５−２３５３９号公報
【発明の開示】
【発明が解決しようとする課題】
【０００４】
従来の閉じた位置においてフラット配置（平面配置）された引き違い戸は、金属製であり、たとえば木造住宅や木調の家などにおいては、機能的には金属製でもよいが、やはり、その他の部分と調和した木質感のある引き違い戸が求められている。
しかも、室内の戸としては、開閉間仕切り、クローゼットドアー等に用いる場合、表面がきれいで反りなどの経年変化を生じることがなく、しかも、製造段階において加工がしやすく製造に手間がかからないようにしなければならないといった要望がある。
それゆえに、この発明の主たる目的は、比較的容易に製造することができ、かつ経年変化が生じにくく、住宅の雰囲気に調和した、引き違い戸を提供することにある。
【課題を解決するための手段】
【０００５】
この発明の請求項１にかかる引き違い戸は、閉じた位置においてフラット配置(平面)された複数の戸が、開閉時に、斜め前方及び／又は斜め後方に移動し且つ一方が他方の前面において平行に移動するように形成された引き違い戸において、閉じた位置において隣り合う戸先が、前記斜め前方又は斜め後方に移動するための斜面が形成され、戸は、芯材と芯材の外表面を覆う表面材とを有し、芯材は、戸先側先端に斜面部が形成され、該戸先に続く表側面及び裏側面が略平面に形成された戸先側芯材と、戸の後端側を形成する後端側芯材とを有し、表面材は、可撓性を有する表面シートと、前記表面シートの裏面側に設けられた表面板材とを有し、前記表面板材は、少なくとも、芯材の戸先側先端の斜面部と該戸先側先端に続く表側面との境界の角部及び戸先側先端の斜面部と該戸先側先端に続く裏側面との境界の角部の間の長さ及び貼着面に対応した貼着面が形成され、且つ前記境界の角部に対応した角度を有する斜め対向面が形成され、前記表面材は、表面板材の斜め対向面を接近させるように表面シートが折り曲げられ、表面板材が戸先側芯材の外表面に貼着されて、前記隣り合う戸先に、前記斜め前方又は斜め後方に移動するための斜面が形成された、引き違い戸である。
この発明の請求項２にかかる引き違い戸は、前記戸先側芯材は、略平面状表側面に略９０度の角度をもって連設された戸先稜角面部と、該戸先稜角面部に続いて、裏側面に到る斜面部とを有し、前記表面板材は、少なくとも、戸先側芯材における、表側面と戸先稜角面部との境界の角部、該戸先稜角面部とそれに続く斜面部との境界の角部及び該斜面部と裏側面との境界の角部の間の長さ及び戸先側芯材における貼着面に対応した貼着面が形成され、且つ前記境界の角部に対応した角度を有する斜め対向面が形成された、請求項１に記載の引き違い戸である。
この発明の請求項３にかかる引き違い戸は、表面材は、戸先側芯材と後端側芯材との間に跨って、平面状に架設された、請求項１または２に記載の引き違い戸である。
この発明の請求項４にかかる引き違い戸は、表面板材は、芯材側の貼着面と表面シート側の面とが平行な平面状に形成され、芯材の前記境界の角部に対応した位置において、芯材の貼着面に対応した貼着面より表面シート側の面に向けて切削されてなる断面Ｖ字型の斜め対向面が形成された、請求項１ないし請求項３のいずれかに記載の引き違い戸である。
この発明の請求項５にかかる引き違い戸は、引き違い戸は、左右一対で形成され、閉位置から開位置に移動させるときに斜め前方に移動する一方の引き違い戸は、戸先側先端の斜面部と該戸先側先端に続く表側面との境界の角度が鋭角に形成されるとともに、他方の引き違い戸は、戸先側先端の斜面部と該戸先側先端に続く裏側面との境界の角度が鋭角に形成された、請求項１ないし４のいずれかに記載の引き違い戸である。
この発明の請求項６にかかる引き違い戸の製法は、閉じた位置においてフラット配置(平面)された複数の戸が、開閉時に、斜め前方及び／又は斜め後方に移動し且つ一方が他方の前面において平行に移動するように形成された引き違い戸の製法において、戸先側先端に斜面部が形成され、該戸先に続く表側面及び裏側面が略平面に形成された戸先側芯材と、戸の後端側を形成する後端側芯材とを有する芯材を形成する、芯材を形成するステップと、可撓性を有する表面シートの裏面側に、少なくとも、芯材の戸先側先端の斜面部と該戸先側先端に続く表側面との境界の角部及び戸先側先端の斜面部と該戸先側先端に続く裏側面との境界の角部の間の長さ及び貼着面に対応した貼着面が形成され、且つ前記境界の角部に対応した角度を有する斜め対向面が形成された表面板材を形成する、表面材を形成するステップと、前記表面材は、表面板材の斜め対向面を接近させるように表面シートが折り曲げられ、表面板材を戸先側芯材の外表面に貼着して、前記隣り合う戸先に、前記斜め前方又は斜め後方に移動するための斜面を形成する、戸を形成するステップとを含む、引き違い戸の製法である。
この発明の請求項７にかかる引き違い戸の製法は、前記戸先側芯材は、略平面状表側面に略９０度の角度をもって連設された戸先稜角面部と、該戸先稜角面部に続いて、裏側面に到る斜面部とを有し、前記表面板材は、少なくとも、戸先側芯材における、表側面と戸先稜角面部との境界の角部、該戸先稜角面部とそれに続く斜面部との境界の角部及び該斜面部と裏側面との境界の角部の間の長さ及び戸先側芯材における貼着面に対応した貼着面が形成され、且つ前記境界の角部に対応した角度を有する斜め対向面が形成された、請求項６に記載の引き違い戸の製法である。
この発明の請求項８にかかる引き違い戸の製法は、芯材の前記境界の角部に対応した位置において、芯材の貼着面に対応した貼着面より表面シート側の面に向けて切削して断面Ｖ字型の斜め対向面を形成して、表面板材を形成する、請求項６または７に記載の引き違い戸の製法である。
【発明の効果】
【０００６】
この発明によれば、閉じた位置において隣り合う戸先が、前記斜め前方又は斜め後方に移動するための斜面が形成され、戸は、芯材と芯材の外表面を覆う表面材とを有し、芯材は、戸先側先端に斜面部が形成され、該戸先に続く表側面及び裏側面が略平面に形成された戸先側芯材と、戸の後端側を形成する後端側芯材とを有し、表面材は、可撓性を有する表面シートと、前記表面シートの裏面側に設けられた表面板材とを有し、前記表面板材は、少なくとも、芯材の戸先側先端の斜面部と該戸先側先端に続く表側面との境界の角部及び戸先側先端の斜面部と該戸先側先端に続く裏側面との境界の角部の間の長さ及び貼着面に対応した貼着面が形成され、且つ前記境界の角部に対応した角度を有する斜め対向面が形成され、前記表面材は、表面板材の斜め対向面を接近させるように表面シートが折り曲げられ、表面板材が戸先側芯材の外表面に貼着されて、前記隣り合う戸先に、前記斜め前方又は斜め後方に移動するための斜面が形成されているので、閉じた位置においてフラット配置(平面)された複数の戸が、開閉時に、斜め前方及び／又は斜め後方に移動し且つ一方が他方の前面において平行に移動するように形成された引き違い戸を比較的容易に製造することができ、かつ経年変化が生じにくく、住宅の雰囲気に調和した、引き違い戸を得ることができる。
請求項２の発明によれば、前記戸先側芯材は、略平面状表側面に略９０度の角度をもって連設された戸先稜角面部と、該戸先稜角面部に続いて、裏側面に到る斜面部とを有し、前記表面板材は、少なくとも、戸先側芯材における、表側面と戸先稜角面部との境界の角部、該戸先稜角面部とそれに続く斜面部との境界の角部及び該斜面部と裏側面との境界の角部の間の長さ及び戸先側芯材における貼着面に対応した貼着面が形成され、且つ前記境界の角部に対応した角度を有する斜め対向面が形成されているので、戸先が先鋭になることなく、且つ閉じた位置において隣り合う戸先の間に空間が形成されて、戸先において左右の戸が密着しなくても、不自然さを感じることはない。
請求項３の発明によれば、表面材は、戸先側芯材と後端側芯材との間に跨って、平面状に架設されているので、表面がフラットな戸を得ることができる。
請求項４の発明によれば、表面板材は、芯材側の貼着面と表面シート側の面とが平行な平面状に形成され、芯材の前記境界の角部に対応した位置において、芯材の貼着面に対応した貼着面より表面シート側の面に向けて切削されてなる断面Ｖ字型の斜め対向面が形成されているので、芯材の角部に沿わせて、表面板材を芯材の外表面に、密着させて貼着することができる。
請求項５の発明によれば、引き違い戸は、左右一対で形成され、閉位置から開位置に移動させるときに斜め前方に移動する一方の引き違い戸は、戸先側先端の斜面部と該戸先側先端に続く表側面との境界の角度が鋭角に形成されるとともに、他方の引き違い戸は、戸先側先端の斜面部と該戸先側先端に続く裏側面との境界の角度が鋭角に形成されているので、その角度に対応して、左右の引き違い戸を開閉できる。
請求項６の発明によれば、戸先側先端に斜面部が形成され、該戸先に続く表側面及び裏側面が略平面に形成された戸先側芯材と、戸の後端側を形成する後端側芯材とを有する芯材を形成する、芯材を形成するステップと、可撓性を有する表面シートの裏面側に、少なくとも、芯材の戸先側先端の斜面部と該戸先側先端に続く表側面との境界の角部及び戸先側先端の斜面部と該戸先側先端に続く裏側面との境界の角部の間の長さ及び貼着面に対応した貼着面が形成され、且つ前記境界の角部に対応した角度を有する斜め対向面が形成された表面板材を形成する、表面材を形成するステップと、前記表面材は、表面板材の斜め対向面を接近させるように表面シートが折り曲げられ、表面板材を戸先側芯材の外表面に貼着して、前記隣り合う戸先に、前記斜め前方又は斜め後方に移動するための斜面を形成する、戸を形成するステップとを含むので、閉じた位置においてフラット配置(平面)された複数の戸が、開閉時に、斜め前方及び／又は斜め後方に移動し且つ一方が他方の前面において平行に移動するように形成された引き違い戸を比較的容易に製造することができる。
請求項７の発明によれば、前記戸先側芯材は、略平面状表側面に略９０度の角度をもって連設された戸先稜角面部と、該戸先稜角面部に続いて、裏側面に到る斜面部とを有し、前記表面板材は、少なくとも、戸先側芯材における、表側面と戸先稜角面部との境界の角部、該戸先稜角面部とそれに続く斜面部との境界の角部及び該斜面部と裏側面との境界の角部の間の長さ及び戸先側芯材における貼着面に対応した貼着面が形成され、且つ前記境界の角部に対応した角度を有する斜め対向面が形成されているので、製造された戸は、戸先が先鋭になることなく、且つ閉じた位置において隣り合う戸先の間に空間が形成されて、戸先において左右の戸が密着しなくても、不自然さを感じることはない。
請求項８の発明によれば、芯材の前記境界の角部に対応した位置において、芯材の貼着面に対応した貼着面より表面シート側の面に向けて切削して断面Ｖ字型の斜め対向面を形成して、表面板材を形成するので、芯材の角部に沿わせて、表面板材を芯材の外表面に、密着させて貼着することができる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、この発明の一実施の形態である引き違い戸装置の正面図解図であり、図２は、この発明の一実施の形態である引き違い戸装置の平面図解図であり、図３は、この発明の一実施の形態である引き違い戸の断面図解図である。
図４ないし図８は、この発明の一実施の形態である戸を構成する芯材及び表面材の製造工程を示す図解図である。
【０００９】
この引き違い戸装置は、引き違い戸１０を備え、引き違い戸１０は、室内ドア、開閉間仕切りあるいはクローゼットドアーのドアーとして用いることができる。特にクローゼットドアーのドアーとして用いるに好適なものであり、閉じた位置において、並置された戸をフラット配置(平面配置)された複数の戸が、開閉時に、斜め前方及び／又は斜め後方に移動し且つ一方が他方の前面において平行に移動するように形成されている。
引き違い戸１０には、走行ユニットが取り付けられ、走行ユニットのレールに沿って走行させることによって、開閉時に、斜め前方及び／又は斜め後方に移動し且つ一方が他方の前面において平行に移動するように形成されている。
【００１０】
引き違い戸１０は、左右一対で形成され、閉じた位置においてフラット配置（平面配置）されたとき隣り合う引き違い戸１０の部分的に重なり合う戸先が、引き違い時において障害となることなく前記斜め前方又は斜め後方に移動するための斜面が形成されている。
【００１１】
すなわち、閉位置から開位置に移動させるときに斜め前方に移動する一方の引き違い戸１２（すなわち引きスライド扉２０２）は、戸先部１４の戸先側先端の斜面部１６と該戸先側先端の斜面部１６に続く表側面１８との境界の角度が鋭角（３０°ないし６０°）に形成され、戸先側先端の斜面部１６と該戸先側先端の斜面部１６に続く裏側面２０との境界の角度が鈍角に形成されるとともに、他方の引き違い戸３２（すなわちスライド扉２０４）は、戸先部３４の戸先側先端の斜面部３６と該戸先側先端の斜面部３６に続く表側面３８との境界の角度が鈍角に形成され、戸先側先端の斜面部３６と該戸先側先端の斜面部３６に続く裏側面４０との境界の角度が鋭角（３０°ないし６０°）に形成されている。
【００１２】
引き違い戸１２は、図３ないし図７で示すように、芯材５０と芯材５０の外表面を覆う表面材５２とを有し、表面材５２は、芯材５０の表面すなわち戸先側芯材５４と後端側芯材５６との間に跨って、平面状に架設されている。
【００１３】
芯材５０は、戸先側先端を形成する角柱状戸先側芯材５４と、引き違い戸１０の後端側を形成する角柱状後端側芯材５６とを有する。
戸先側芯材５４は、戸先側先端に斜面部５４ａが形成され、該戸先側先端の斜面部５４ａに続く表側面５４ｂ及び裏側面５４ｃが略平面に形成されている。
前記戸先側芯材５４は、略平面状表側面５４ｂに、略９０度の角度をもって連設された戸先稜角面部５４ｄと、該戸先稜角面部５４ｄに続いて、裏側面５４ｃに到る斜面部５４ａとを有する。
後端側芯材５６は、戸先側芯材５４の表側面５４ｂと裏側面５４ｃとの間の長さと同一の長さの厚さを有し、略平面状の表側面５６ｂと略平面状の裏側面５６ｃを備え、表側面５６ｂと裏側面５６ｃの後端縁には、表側面５６ｂ及び裏側面５６ｃと略９０゜の角度をもって連設された稜角面部５６ｄが形成され、全体として断面略方形の角柱状に形成されている。
【００１４】
芯材５０の戸先側芯材５４は、斜面部５４ａと裏側面５４ｃとの境界の角部５４ｅと、斜面部５４ａと戸先稜角面部５４ｄとの境界の角部５４ｆと、戸先稜角面部５４ｄと表側面５４ｂとの境界の角部５４ｇとを備える。
芯材５０の後端側芯材５６は、表側面５６ｂと稜角面部５６ｄとの境界の角部５６ｅと、裏側面５６ｃと稜角面部５６ｄとの境界の角部５６ｆとを備える。
【００１５】
芯材５０は、図７で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材５０は、左右一対の戸先側芯材５４と後端側芯材５６との間に架設体５８が架け渡されてなり、戸先側芯材５４がそり等の防止目的により単板積層材（ＬＶＬ；ラミネーテッドベニヤランバー）で形成されており、後端側芯材５６と架設体５８とがミディアム・デンシティ・ファイバーボード（ＭＤＦ）等で形成されている。
【００１６】
表面材５２は、図３ないし図６で示すように、可撓性を有し、その表面に天然木の木目調の印刷模様等の天然系素材に近い模様を有する表面シート６０と、前記表面シート６０の裏面側に設けられた第１表面板材６２、第２表面板材６４及び第３表面板材６６とを有する。
前記第１表面板材６２、第２表面板材６４及び第３表面板材６６は、少なくとも、芯材５０の戸先側先端の斜面部５４ａと該戸先側先端の斜面部５４ａに続く表側面５４ｂとの境界の角部ならびに戸先側先端の斜面部５４ａと該戸先側先端の斜面部５４ａに続く裏側面５４ｃとの境界の角部の間の長さ及び貼着面たる表側面５４ｂ及び裏面側５４ｃの表面に対応した貼着面６２ａ、貼着面６４ａ、貼着面６６ａが形成されている。
【００１７】
第１表面板材６２は、芯材５０側の貼着面と表面シート６０側の面とが平行な平面状に形成され、芯材５０の前記境界の角部５４ｅ及び角部５４ｆに対応した位置において、芯材５０の貼着面に対応した貼着面６２ａより表面シート６０側の面に向けて断面Ｖ字型に切削されてなる斜め対向面６２ｂ、斜め対向面６２ｃが形成されている。
第２表面板材６４は、芯材５０側の貼着面６４ａと表面シート６０側の面とが平行な平面状に形成され、芯材５０の前記境界の角部５４ｇ及び角部５６ｅに対応した位置において、芯材５０の貼着面に対応した貼着面６４ａより表面シート６０側の面に向けて断面Ｖ字型に切削されてなる斜め対向面６４ｂ、斜め対向面６４ｃが形成されている。
第３表面板材６６は、芯材５０側の貼着面と表面シート６０側の面とが平行な平面状に形成され、芯材５０の前記境界の角部５４ｅ及び角部５６ｆに対応した位置において、芯材５０の貼着面に対応した貼着面６６ａより表面シート６０側の面に向けて断面Ｖ字型に切削されてなる対向面６６ｂ、斜め対向面６６ｃが形成されている。
【００１８】
第４表面板材６８は、少なくとも、戸先側芯材５４における、表側面５４ｂと戸先稜角面部５４ｄとの境界の角部５４ｇ、該戸先稜角面部５４ｄとそれに続く斜面部５４ａとの境界の角部５４ｆの間の長さ及び戸先側芯材５４における貼着面に対応した貼着面６８ａが形成され、且つ前記境界の角部に対応した角度を有する斜め対向面６８ｂ、斜め対向面６８ｃが形成されている。
【００１９】
第５表面板材７０は、芯材５０側の貼着面と表面シート６０側の面とが平行な平面状に形成され、芯材５０の前記境界の角部５６ｅ及び角部５６ｆに対応した位置において、芯材５０の貼着面に対応した貼着面７０ａより表面シート６０側の面に向けて断面Ｖ字型に切削されてなる斜め対向面７０ｂ、斜め対向面７０ｃが形成されている。
第６表面板材７２は、芯材５０側の貼着面と表面シート６０側の面とが平行な平面状に形成され、芯材５０の前記境界の角部５６ｆに対応した位置において、芯材５０の貼着面に対応した貼着面７２ａより表面シート６０側の面に向けて断面Ｖ字型に切削されてなる斜め対向面７２ｂが形成されるとともに、第７表面板材７４との対向面７２ｃが形成されている。
第７表面板材７４は、芯材５０側の貼着面と表面シート６０側の面とが平行な平面状に形成され、芯材５０の前記裏面に対応した位置において、芯材５０の貼着面に対応した貼着面７４ａより表面シート６０側の面に向けて切削されてなる対向面７４ｂ、対向面７４ｃが形成されている。
【００２０】
更に、第１表面板材６２及び第４表面板材６８は、図５及び図６において示すように、前記戸先側芯材５４の境界の角部５４ｆに対応した角度を有するその両端の斜め対向面６２ｃと斜め対向面６８ｂとを接近させるように表面シート６０が折り曲げられ、第１表面板材６２及び第４表面板材６８は、戸先側芯材５４の外表面の貼着面に貼着されて、前記隣り合う戸先に、前記斜め前方又は斜め後方に移動するための斜面が形成されている。
更に、第１表面板材６２及び第３表面板材６６は、図５及び図６において示すように、前記戸先側芯材５４の境界の角部５４ｅに対応した角度を有するその両端の斜め対向面６２ｂと斜め対向面６６ｃとを接近させるように表面シート６０が折り曲げられ、第１表面板材６２及び第３表面板材６６は、戸先側芯材５４の外表面の貼着面に貼着されて、前記隣り合う戸先に、前記斜め前方又は斜め後方に移動するための斜面が形成されている。
更に、第２表面板材６４及び第４表面板材６８は、図５及び図６において示すように、前記戸先側芯材５４の境界の角部５４ｇに対応した角度を有するその両端の斜め対向面６４ｂと斜め対向面６８ｃとを接近させるように表面シート６０が折り曲げられ、第２表面板材６４及び第４表面板材６８は、戸先側芯材５４の外表面の貼着面に貼着されて、前記隣り合う戸先に、前記斜め前方又は斜め後方に移動するための斜面が形成されている。
【００２１】
更に、第２表面板材６４及び第５表面板材７０は、図５及び図６において示すように、前記後端側芯材５６の境界の角部５６ｅに対応した角度を有するその両端の斜め対向面６４ｃと斜め対向面７０ｂとを接近させるように表面シート６０が折り曲げられ、第２表面板材６４及び第５表面板材７０は後端側芯材５６の外表面の貼着面に貼着されて、後端側稜角面部を形成している。
更に、第５表面板材７０及び第６表面板材７２は、図５及び図６において示すように、前記後端側芯材５６の境界の角部５６ｆに対応した角度を有するその両端の斜め対向面７０ｃと斜め対向面７２ｂとを接近させるように表面シート６０が折り曲げられ、第５表面板材７０及び第６表面板材７２は、後端側芯材５６の外表面の貼着面に貼着されて、後端側稜角面部を形成している。
【００２２】
第３表面板材６６及び第７表面板材７４は、対向面６６ｂ及び対向面７４ｂが対向するようにして、戸先側芯材５４の裏面側外表面に貼着されて、引き違い戸１２の平面状裏面が形成されている。
更に、第６表面板材７２及び第７表面板材７４は、対向面７２ｃ及び対向面７４ｃが対向するようにして、後端側芯材５６の裏面側外表面の貼着面に貼着されて、引き違い戸１２の平面状裏面が形成されている。
【００２３】
表面材５２は、第２表面板材６４の後端側をもって後端側芯材５６の表側面５６ｂに貼着されている。
更に、表面材５２は、第２表面板材６４に続いて、第５表面板材７０及び第６表面板材７２が連設されている。
第５表面板材７０は、後端側芯材５６の稜角面部５６ｄに貼着され、第６表面板材７２は、後端側芯材５６の裏側面５６ｃに貼着される。
【００２４】
表面シート６０としては、塩化ビニル，オレフィンなどのプラスチックシート、不織布の表面に天然木のつき板単板を貼着した突き板シート、樹脂含浸紙が適する。
表面シート６０は、可撓性を有しており、第１表面板材６２、第２表面板材６４、第３表面板材６６、第４表面板材６８、第５表面板材７０、第６表面板材７２が外周面に接着剤で密着されており、前記芯材５０の戸先側芯材５４および後端側芯材５６の貼着面に沿っても密に接着されている。
【００２５】
もう一方の引き違い戸３２は、図７ないし図１０で示すように、芯材１５０と芯材１５０の外表面を覆う表面材１５２とを有し、表面材１５２は、芯材１５０の表面すなわち戸先側芯材１５４と後端側芯材１５６との間に跨って、平面状に架設されている。
【００２６】
芯材１５０は、戸先側先端を形成する角柱状戸先側芯材１５４と、引き違い戸１１０の後端側を形成する角柱状後端側芯材１５６とを有する。
戸先側芯材１５４は、戸先側先端に斜面部１５４ａが形成され、該戸先側先端の斜面部１５４ａに続く表側面１５４ｃ及び裏側面１５４ｂが略平面に形成されている。
前記戸先側芯材１５４は、略平面状表側面１５４ｃに、略１９０度の角度をもって連設された戸先稜角面部１５４ｄと、該戸先稜角面部１５４ｄに続いて、裏側面１５４ｂに到る斜面部１５４ａとを有する。
後端側芯材１５６は、戸先側芯材１５４の表側面１５４ｃと裏側面１５４ｂとの間の長さと同一の長さの厚さを有し、略平面状の表側面１５６ｃと略平面状の裏側面１５６ｂを備え、表側面１５６ｃと裏側面１５６ｂの後端縁には、表側面１５６ｃ及び裏側面１５６ｂと略９０゜の角度をもって連設された稜角面部１５６ｄが形成され、全体として断面略方形の角柱状に形成されている。
【００２７】
芯材１５０の戸先側芯材１５４は、斜面部１５４ａと表側面１５４ｃとの境界の角部１５４ｅと、斜面部１５４ａと戸先稜角面部１５４ｄとの境界の角部１５４ｆと、戸先稜角面部１５４ｄと裏側面１５４ｂとの境界の角部１５４ｇとを備える。
芯材１５０の後端側芯材１５６は、裏側面１５６ｂと稜角面部１５６ｄとの境界の角部１５６ｅと、表側面１５６ｃと稜角面部１５６ｄとの境界の角部１５６ｆとを備える。
【００２８】
芯材１５０は、図７で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材１５０は、左右一対の戸先側芯材１５４と後端側芯材１５６との間に架設体１５８が架け渡されてなり、戸先側芯材１５４がそり等の防止目的により単板積層材（ＬＶＬ；ラミネーテッドベニヤランバー）で形成されており、後端側芯材１５６と架設体１５８とがミディアム・デンシティ・ファイバーボード（ＭＤＦ）等で形成されている。
【００２９】
表面材１５２は、図８ないし図１０で示すように、可撓性を有し、その表面に天然木の木目調の印刷模様等の天然系素材に近い模様を有する表面シート１６０と、前記表面シート１６０の裏面側に設けられた第１表面板材１６２、第２表面板材１６４及び第３表面板材１６６とを有する。
前記第１表面板材１６２、第２表面板材１６４及び第３表面板材１６６は、少なくとも、芯材１５０の戸先側先端の斜面部１５４ａと該戸先側先端の斜面部１５４ａに続く表側面１５４ｃとの境界の角部ならびに戸先側先端の斜面部１５４ａと該戸先側先端の斜面部１５４ａに続く裏側面１５４ｂとの境界の角部の間の長さ及び貼着面たる表側面１５４ｃ及び裏面側１５４ｂに対応した貼着面１６２ａ、貼着面１６４ａ、貼着面１６６ａが形成されている。
【００３０】
第１表面板材１６２は、芯材１５０側の貼着面と表面シート１６０側の面とが平行な平面状に形成され、芯材１５０の前記境界の角部１５４ｅ及び角部１５４ｆに対応した位置において、芯材１５０の貼着面に対応した貼着面１６２ａより表面シート１６０側の面に向けて断面Ｖ字型に切削されてなる斜め対向面１６２ｂ、斜め対向面１６２ｃが形成されている。
第２表面板材１６４は、芯材１５０側の貼着面１６４ａと表面シート１６０側の面とが平行な平面状に形成され、芯材１５０の前記境界の角部１５４ｇに対応した位置において、芯材１５０の貼着面に対応した貼着面１６４ａより表面シート１６０側の面に向けて断面Ｖ字型に切削されてなる斜め対向面１６４ｂが形成されるとともに第７表面板材１７４との対向面１６４ｃが形成されている。
第３表面板材１６６は、芯材５０側の貼着面と表面シート１６０側の面とが平行な平面状に形成され、芯材１５０の前記境界の角部１５４ｅ及び角部１５６ｆに対応した位置において、芯材１５０の貼着面に対応した貼着面１６６ａより表面シート１６０側の面に向けて断面Ｖ字型に切削されてなる斜め対向面１６６ｂ、斜め対向面１６６ｃが形成されている。
【００３１】
第４表面板材１６８は、少なくとも、戸先側芯材１５４における、裏側面１５４ｂと戸先稜角面部１５４ｄとの境界の角部１５４ｇ、該戸先稜角面部１５４ｄとそれに続く斜面部１５４ａとの境界の角部１５４ｆの間の長さ及び戸先側芯材１５４における貼着面に対応した貼着面１６８ａが形成され、且つ前記境界の角部１５４ｇ及び角部１５４ｆに対応した角度を有する斜め対向面１６８ｃ、斜め対向面１６８ｂが形成されている。
【００３２】
第５表面板材１７０は、芯材１５０側の貼着面と表面シート１６０側の面とが平行な平面状に形成され、芯材１５０の前記境界の角部１５６ｆ及び角部１５６ｅに対応した位置において、芯材１５０の貼着面に対応した貼着面１７０ａより表面シート１６０側の面に向けて断面Ｖ字型に切削されてなる斜め対向面１７０ｂ、斜め対向面１７０ｃが形成されている。
第６表面板材１７２は、芯材１５０側の貼着面と表面シート１６０側の面とが平行な平面状に形成され、芯材１５０の前記境界の角部１５６ｅに対応した位置において、芯材１５０の貼着面に対応した貼着面１７２ａより表面シート１６０側の面に向けて断面Ｖ字型に切削されてなる斜め対向面１７２ｂが形成されるとともに、第７表面板材１７４との対向面１７２ｃが形成されている。
第７表面板材１７４は、芯材１５０側の貼着面と表面シート１６０側の面とが平行な平面状に形成され、芯材１５０の前記裏面に対応した位置において、芯材１５０の貼着面に対応した貼着面１７４ａより表面シート１６０側の面に向けて切削されてなる対向面１７４ｂ、対向面１７４ｃが形成されている。
【００３３】
更に、第１表面板材１６２及び第４表面板材１６８は、図９及び図１０において示すように、前記戸先側芯材１５４の境界の角部に対応した角度を有するその両端の斜め対向面１６２ｃと斜め対向面１６８ｂとを接近させるように表面シート１６０が折り曲げられ、第１表面板材１６２及び第４表面板材１６８は、戸先側芯材１５４の外表面の貼着面に貼着されて、前記隣り合う戸先に、前記斜め前方又は斜め後方に移動するための斜面が形成されている。
更に、第１表面板材１６２及び第３表面板材１６６は、図９及び図１０において示すように、前記戸先側芯材１５４の境界の角部に対応した角度を有するその両端の斜め対向面１６２ｂと斜め対向面１６６ｃとを接近させるように表面シート１６０が折り曲げられ、第１表面板材１６２及び第３表面板材１６６は、戸先側芯材１５４の外表面の貼着面に貼着されて、前記隣り合う戸先に、前記斜め前方又は斜め後方に移動するための斜面が形成されている。
更に、第２表面板材１６４及び第４表面板材１６８は、図９及び図１０において示すように、前記戸先側芯材１５４の境界の角部に対応した角度を有するその両端の斜め対向面１６４ｂと斜め対向面１６８ｃとを接近させるように表面シート１６０が折り曲げられ、第２表面板材１６４及び第４表面板材１６８は、戸先側芯材１５４の外表面の貼着面に貼着されて、前記隣り合う戸先に、前記斜め前方又は斜め後方に移動するための斜面が形成されている。
【００３４】
更に、第３表面板材１６６及び第５表面板材１７０は、図９及び図１０において示すように、前記後端側芯材１５６の境界の角部に対応した角度を有するその両端の斜め対向面１６６ｂと斜め対向面１７０ｂとを接近させるように表面シート１６０が折り曲げられ、第３表面板材１６６及び第５表面板材１７０は後端側芯材５６の外表面の貼着面に貼着されて、後端側稜角面部を形成している。
更に、第５表面板材１７０及び第６表面板材１７２は、図９及び図１０において示すように、前記後端側芯材１５６の境界の角部に対応した角度を有するその両端の斜め対向面１７０ｃと斜め対向面１７２ｂとを接近させるように表面シート１６０が折り曲げられ、第５表面板材１７０及び第６表面板材１７２は、後端側芯材１５６の外表面の貼着面に貼着されて、後端側稜角面部を形成している。
【００３５】
第２表面板材１６４及び第７表面板材１７４は、斜め対向面１６４ｃ及び対向面１７４ｃが対向するようにして、戸先側芯材１５４の裏面側外表面に貼着されて、引き違い戸３２の平面状裏面が形成されている。
更に、第６表面板材１７２及び第７表面板材１７４は、対向面１７２ｃ及び対向面１７４ｂが対向するようにして、後端側芯材１５６の裏面側外表面の貼着面に貼着されて、引き違い戸３２の平面状裏面が形成されている。
【００３６】
表面材１５２は、第３表面板材１６６の後端側をもって後端側芯材１５６の表側面１５６ｃに貼着されている。
更に、表面材１５２は、第３表面板材１６６に続いて、第５表面板材１７０及び第６表面板材１７２が連設されている。
第５表面板材１７０は、後端側芯材１５６の稜角面部１５６ｄに貼着され、第６表面板材１７２は、後端側芯材１５６の裏側面１５６ｂに貼着される。
【００３７】
表面シート１６０としては、塩化ビニル，オレフィンなどのプラスチックシート、不織布の表面に天然木のつき板単板を貼着した突き板シート、樹脂含浸紙が適する。
表面シート１６０は、可撓性を有しており、第１表面板材１６２、第２表面板材１６４、第３表面板材１６６、第４表面板材１６８、第５表面板材１７０、第６表面板材１７２が外周面に接着剤で密着されており、前記芯材１５０の戸先側芯材１５４および後端側芯材１５６の貼着面に沿っても密に接着されている。
【００３８】
次に、前記した引き違い戸などの枠材の製造方法について、主として図４ないし図１０に基づいて説明する。
まず、単板積層材（ＬＶＬ；ラミネーテッドベニヤランバー）からなる戸先側芯材５４、ミディアム・デンシティ・ファイバーボード（ＭＤＦ）と単板積層材（ＬＶＬ；ラミネーテッドベニヤランバー）からなる後端側芯材５６との間に、ミディアム・デンシティ・ファイバーボード（ＭＤＦ）、パーティクルボードからなる架設体５８を固定して、芯材５０を準備する。
いずれにしても、この芯材５０は、芯材全体の反りを防止することができるようにしなければならないので、単板積層材が適しているが、その他この単板積層材とファイバーボード，パーティクルボードを混ぜて用いるようにしてもよい。
【００３９】
次に、断面略台形状の第１表面板材６２、第２表面板材６４、第３表面板材６６、第４表面板材６８、第５表面板材７０及び第６表面板材７２の材料となるたとえばミディアム・デンシティ・ファイバーボード（ＭＤＦ）の板材からなる表面板材素材８０を準備し、その一方表面に塩化ビニル，オレフィンなどの可撓性を有する表面シート６０を貼着する。
そして、表面シート６０に向けて表面シート６０の裏面に達する深さで、表面板材素材８０に、前記芯材５０の境界の角部５４ｅ、角部５４ｆ、角部５４ｇ、角部５６ｅ及び角部５６ｆに対応した傾斜角のＶカット加工を施して、その両端に斜め対向面６２ｂ、斜め対向面６２ｃ、斜め対向面６４ｂ、斜め対向面６４ｃ、斜め対向面６６ｃ、斜め対向面６８ｂ、斜め対向面６８ｃ、斜め対向面７０ｂ、斜め対向面７０ｃ、斜め対向面７２ｂを形成する。
Ｖカット加工とは、表面板材素材８０の裏面から断面Ｖ字型の溝を表面シート６０の寸前まで切削し、断面Ｖ字型の溝を作る方法をいう。
Ｖカット加工を施す位置は、芯材５０の各角部５４ｅ、角部５４ｆ、角部５４ｇ、角部５６ｅ及び角部５６ｆ間の長さに対応した位置とし、Ｖカット加工を施して形成されるＶ字溝によって形成される斜め対向面６２ｂと斜め対向面６６ｃ、斜め対向面６２ｃと斜め対向面６８ｂ、斜め対向面６４ｂと斜め対向面６８ｃ、斜め対向面６４ｃと斜め対向面７０ｂ、斜め対向面７０ｃと斜め対向面７２ｂのなす角度は、芯材５０の角部５４ｅ、角部５４ｆ、角部５４ｇ、角部５６ｅ及び角部５６ｆに対応した傾斜角を構成するようにＶカット加工を施す。
たとえば、芯材５０の角部５４ｅに対応する斜め対向面６６ｃと斜め対向面６２ｂとのなすＶ字溝は、３０°の二等辺三角形で、芯材５０の角部５４ｆに対応する斜め対向面６２ｃと斜め対向面６８ｂとのなすＶ字溝は、６０°の二等辺三角形で、芯材５０の角部５４ｇに対応する斜め対向面６８ｃと斜め対向面６４ｂとのなすＶ字溝は、６０°の二等辺三角形である。
【００４０】
而して、一枚の表面シート６０の裏面に、第３表面板材６６，第１表面板材６２，第２表面板材６４，第５表面板材７０及び第６表面板材７２が貼着された、表面材５２が形成される。
そして、前記断面略台形状の第１表面板材６２は、角柱状芯材５０の斜面部５４ａの長さおよび外周面に一致した貼着面６２ａが形成され、該貼着面６２ａより斜めに拡開する斜め対向面６２ｂ，斜め対向面６２ｃが形成される。
【００４１】
第２表面板材６４を、芯材５０の戸先側芯材５４及び後端側芯材５６の表面側表面に結合させ、斜め対向面６４ｂを戸先側芯材５４の角部５４ｇに合致させ且つ斜め対向面６４ｃを後端側芯材５６の角部５６ｅに合致させて、接着剤で貼着する。
次に、図６に示すように、第４表面板材６８を、戸先側芯材５４の戸先稜角面５４ｄの表面に接合させ、斜め対向面６８ｃを、角部５４ｇに合致させ且つ斜め対向面６８ｂを角部５４ｆに合致させて、接着剤で貼着する。
次に、図４ないし図６に示すように、芯材５０の外周面を被覆するために、芯材５０の斜面部５４ａに断面略台形状の第１表面板材６２の貼着面６２ａを接合させ、斜め対向面６２ｂを戸先側芯材５４の角部５４ｅに合致させて貼着する。
すなわち、断面略台形状の第１表面板材６２の貼着面６２ａ（表面シート６０が貼着された面とは反対側の面）を芯材５０の斜面部５４ａに対応させて適宜接着剤で接着する。
次に、図６に示すように、第３表面板材６６を芯材５０の裏面に対応させて、第３表面板材６６を適宜接着剤で接着する。
また、第５表面板材７０を、後端側芯材５６の稜角面部５６ｄの表面に接合させ、斜め対向面７０ｂを角部５６ｅに合致させ且つ斜め対向面７０ｃを角部５６ｆに合致させて、接着剤で貼着する。更に、第６表面板材７２を、後端側芯材５６の裏側面５６ｃの表面に接合させ、斜め対向面７２ｂを角部５６ｆに合致させて接着剤で貼着する。
更に第７表面板材７４を戸先側芯材５４及び後端側芯材５６の裏面側表面に接合させ、対向面７４ｂを第３表面板材６６の対向面６６ｂに対向させ且つ対向面７４ｃを第６表面板材７２の対向面７２ｃに対向させて、接着剤で貼着する。
【００４２】
次に、引き違い戸３２を製造するために、断面略台形状の第１表面板材１６２、第２表面板材１６４、第３表面板材１６６、第４表面板材１６８、第５表面板材１７０及び第６表面板材１７２の材料となるたとえばミディアム・デンシティ・ファイバーボード（ＭＤＦ）の板材からなる表面板材素材１８０を準備し、その一方表面に塩化ビニル，オレフィンなどの可撓性を有する表面シート１６０を貼着する。
そして、表面シート１６０に向けて表面シート１６０の裏面に達する深さで、表面板材素材１８０に、前記芯材１５０の境界の角部１５４ｅ、角部１５４ｆ、角部１５４ｇ、角部１５６ｅ及び角部１５６ｆに対応した傾斜角のＶカット加工を施して、その両端に斜め対向面１６２ｂ、斜め対向面１６２ｃ、斜め対向面１６４ｂ、斜め対向面１６４ｃ、斜め対向面１６６ｃ、斜め対向面１６８ｂ、斜め対向面１６８ｃ、斜め対向面１７０ｂ、斜め対向面１７０ｃ、斜め対向面１７２ｂを形成する。
Ｖカット加工とは、表面板材素材１８０の裏面から断面Ｖ字型の溝を表面シート１６０の寸前まで切削し、断面Ｖ字型の溝を作る方法をいう。
Ｖカット加工を施す位置は、芯材１５０の各角部１５４ｅ、角部１５４ｆ、角部１５４ｇ、角部１５６ｅ及び角部１５６ｆ間の長さに対応した位置とし、Ｖカット加工を施して形成されるＶ字溝によって形成される斜め対向面１６２ｂと斜め対向面１６６ｃ、斜め対向面１６２ｃと斜め対向面１６８ｂ、斜め対向面１６４ｂと斜め対向面１６８ｃ、斜め対向面１６６ｂと斜め対向面１７０ｂ、斜め対向面１７０ｃと斜め対向面１７２ｂのなす角度は、芯材１５０の角部１５４ｅ、角部１５４ｆ、角部１５４ｇ、角部１５６ｆ及び角部１５６ｅに対応した傾斜角を構成するようにＶカット加工を施す。
たとえば芯材１５０の角部１５４ｅに対応する斜め対向面１６６ｃと斜め対向面１６２ｂとのなすＶ字溝は、３０°の二等辺三角形で、芯材１５０の角部１５４ｆに対応する斜め対向面１６２ｃと斜め対向面１６８ｂとのなすＶ字溝は、６０°の二等辺三角形で、芯材１５０の角部１５４ｇに対応する斜め対向面１６８ｃと斜め対向面１６４ｂとのなすＶ字溝は、６０°の二等辺三角形である。
【００４３】
而して、一枚の表面シート１６０の裏面に、第３表面板材１６６，第１表面板材１６２，第２表面板材１６４，第５表面板材１７０及び第６表面板材１７２が貼着された、表面材１５２が形成される。
そして、前記断面略台形状の第１表面板材１６２は、角柱状芯材１５０の斜面部１５４ａの長さおよび外周面に一致した貼着面１６２ａが形成され、該貼着面１６２ａより斜めに拡開する斜め対向面１６２ｂ，斜め対向面１６２ｃが形成される。
【００４４】
第３表面板材１６６を、図９に示すように、芯材１５０の戸先側芯材１５４及び後端側芯材１５６の裏面側表面に結合させ、斜め対向面１６６ｃを戸先側芯材１５４の角部１５４ｅに合致させ且つ斜め対向面１６６ｂを後端側芯材１５６の角部１５６ｆに合致させて、接着剤で貼着する。
次に、図１０に示すように、第１表面板材１６２を、戸先側芯材１５４の斜面部１５４ａの表面に接合させ、斜め対向面１６２ｂを、角部１５４ｅに合致させ且つ斜め対向面１６２ｃを角部１５４ｆに合致させて、接着剤で貼着する。
次に、図８ないし図１０に示すように、芯材１５０の外周面を被覆するために、芯材１５０の戸先稜角面部１５４ｄに断面略台形状の第４表面板材１６８の貼着面１６８ａを接合させ、斜め対向面１６８ｂを戸先側芯材１５４の角部１５４ｆに、斜め対向面１６８ｃを戸先側芯材１５４の角部１５４ｇに合致させて貼着する。
すなわち、断面略台形状の第１表面板材１６２の貼着面１６２ａ（表面シート１６０が貼着された面とは反対側の面）を芯材１５０の斜面部１５４ａに対応させて適宜接着剤で接着する。
次に、図１０に示すように、第２表面板材１６４を芯材１５０の裏面に接合させ、斜め対向面１６４ｂを角部１５４ｇに合致させて、第２表面板材１６４を適宜接着剤で接着する。
また、第５表面板材１７０を、後端側芯材１５６の稜角面部１５６ｄの表面に接合させ、斜め対向面１７０ｂを角部１５６ｆに合致させ且つ斜め対向面１７０ｃを角部１５６ｅに合致させて、接着剤で貼着する。更に、第６表面板材１７２を後端側芯材１５６の裏側面１５６ｂの表面に接合させ、斜め対向面１７２ｂを角部１５６ｅに合致させて接着剤で接着する。
更に第７表面板材１７４を戸先側芯材１５４及び後端側芯材１５６の裏面側表面に接合させ、対向面１７４ｃを第３表面板材１６６の対向面１６４ｃに対向させ且つ対向面１７４ｂを第６表面板材１７２の対向面１７２ｃに対向させて、接着剤で貼着する。
【００４５】
この引き違い戸１０は、引きスライド扉２０２とスライド扉２０４とによって一組の引き違い戸が構成され、引きスライド扉２０２とスライド扉２０４とは、閉める状態においてはフラット面を構成し、両引き違い戸の各表面が面一に並ぶ状態となるように構成されている。
引き違い状態のときは、引きスライド扉２０２は、引きスライド扉２０２の前面に平行移動するように構成され、後ろ側のスライド扉２０４は、引きスライド扉２０２の後ろ側に平行移動するように構成されている。
【００４６】
引きスライド扉２０２は、その上部において左右二箇所に分かれて設けられた上扉支持体２１２と下扉支持体２１４とを備えている。
【００４７】
また、スライド扉２０４は、その上部において左右に分かれて設けられた上扉支持体２１６とその下部において左右に分かれて設けられた下扉支持体２１８とを備える。
【００４８】
引きスライド扉２０２の上扉支持体２１２及びスライド扉２０４の上扉支持体２１６は、上レール装置２２０に移動自在に固定され、引きスライド扉２０２の下扉支持体２１４及びスライド扉２０４の下扉支持体２１８は、下レール装置２４０に移動自在に固定される。
上レール装置２２０は、住宅の開口部又はクローゼット等の家具の開口部の上横材に敷設され、下レール装置２４０は、住宅の開口部又はクローゼット等の家具の開口部の下横材に敷設される。
【００４９】
上レール装置２２０は、上横材の下面に固定されたレールブラケット２２２を備え、レールブラケット２２２の前側には、上・前ガイドレール２２４を備え、上・前ガイドレール２２４は、横方向に掛け渡された上ガイドレール支持体２２６に前後方向に回動自在に固定される。
【００５０】
上扉支持体２１２は、引きスライド扉２０２の上部に固定された支持腕２１２ａの上部に回転自在に固定されたローラ２１２ｂと、支持腕２１２ａの上部に固定された案内体２１２ｃと備える。
上扉支持体２１２のローラ２１２ｂは、上・前ガイドレール２２４の上部に移動自在に支持されている。
また、上扉支持体２１２の案内体２１２ｃは、上横材の終端、この実施の形態においては右端に設けられたレールロック機構２２８を構成する案内ブロック２３２のガイド溝２３２ａに嵌合される。案内ブロック２３２は、レールブラケット２２２に枢軸２３２ｂによって上下方向に回動自在に固定されており、上扉支持体２１２の案内体２１２ｃは、案内ブロック２３２のガイド溝２３２ａによって右端に至るに従って奥側に向けて移動されるとともに、ガイド溝２３２ａに沿って奥に向かうに従って案内体２１２ｃが上方に案内ブロック２３２を持ち上げるように、移動する。
【００５１】
上・前ガイドレール２２４は、上扉支持体２１２の案内体２１２ｃが案内ブロック２３２のガイド溝２３２ａに沿って奥側に向けて案内されるにしたがって、案内ブロック２３２が上ガイドレール支持体２２６において奥側に向けて回動する。
上ガイドレール２２４は、レールロック機構２２８によって適宜な位置に固定される。  
【００５２】
上レール装置２２０の上・奥ガイドレール２３０は、レールブラケット２２２の奥側に付設されている。
上・奥ガイドレール２３０は、スライド扉２０４の上扉支持体２１６を構成する支持腕２１６ａの上部に回転自在に固定されたローラ２１６ｂを移動自在に支持するように固定されている。
【００５３】
下レール装置２４０は、前記上横材と平行に設けられた下横材の上面に敷設されている。
下レール装置２４０は、引きスライド扉２０２を案内する下・前ガイドレール２４２とスライド扉２０４を案内する下・奥ガイドレール２４４とを備える。
下・前ガイトレール２４２は、下・奥ガイドレール２４４とほぼ平行に主路２４８ａ及び主路２４８ｂが設けられ、下・前ガイドレール２４２は、下・奥ガイドレール２４４の中央付近と、下・奥ガイドレール２４４の左端近傍とにおいて、下・奥ガイドレール２４４に向けて傾斜し接近する転換路２４６ａおよび転換路２４６ｂが設けられている。
転換路２４６ａ及び転換路２４６ｂは、主路２４８ａ及び主路２４８ｂと約６０度の角度をなして斜め方向において奥側または前側に向けて引きスライド扉２０２を案内するように、引きスライド扉２０２の幅よりやや狭い間隔をおいて、左右に分離して形成されている。
【００５４】
下レール装置２４０の下・前ガイドレール２４２及び下・奥ガイドレール２４４は、引きスライド扉２０２の下扉支持体２１４及びスライド扉２０４の下扉支持体２１８を軌道に沿って案内するように、下扉支持体２１４の下面に突設された振止具２１４ａ及び下扉支持体２１８の下面に突設された振止具２１８ａを挟んで脱輪を防ぐために、レール溝２４２ａ及びレール溝２４４ａの開口縁に突縁２４２ｂ及び突縁２４４ｂが形成されている。
【図面の簡単な説明】
【００５５】
【図１】この発明の一実施の形態である引き違い戸装置の正面図解図である。
【図２】この発明の一実施の形態である引き違い戸装置の平面図解図である。
【図３】この発明の一実施の形態である引き違い戸の断面図解図である。
【図４】この発明の一実施の形態である戸を構成する芯材及び表面材の製造工程を示す断面図解図である。
【図５】この発明の一実施の形態である戸を構成する芯材及び表面材の製造工程を示す断面図解図である。
【図６】この発明の一実施の形態である戸を構成する芯材及び表面材の製造工程を示す断面図解図である。
【図７】この発明の一実施の形態である戸を構成する芯材を示す図解図である。
【図８】この発明の一実施の形態である戸を構成する芯材及び表面材の製造工程を示す断面図解図である。
【図９】この発明の一実施の形態である戸を構成する芯材及び表面材の製造工程を示す断面図解図である。
【図１０】この発明の一実施の形態である戸を構成する芯材及び表面材の製造工程を示す断面図解図である。
【図１１】図１図示戸の閉めた状態の平面図解図である。
【図１２】図１図示引き違い戸の引き状態の平面図解図である。
【図１３】図１図示引き違い戸の下レールの平面図解図である。
【図１４】引きスライド扉の上扉支持体の図解図である。
【図１５】スライド扉の上扉支持体の図解図である。
【図１６】閉める状態の断面図解図である。
【図１７】引き状態の断面図解図である。
【図１８】閉める状態の上扉支持体の断面図解図である。
【図１９】引き状態の上扉支持体の断面図解図である。
【図２０】上レール装置の平断面図解図である。
【図２１】閉める状態の下扉支持体の断面図解図である。
【図２２】引き状態の下扉支持体の断面図解図である。
【符号の説明】
【００５６】
１０  引き違い戸
１２  引き違い戸（引きスライド扉２０２）
１４  戸先部
１６  斜面部
１８  表側面
２０  裏側面
３２  引き違い戸（スライド扉２０４）
３４  戸先部
３６  斜面部
３８  表側面
４０  裏側面
５０  芯材
５２  表面材
５４  戸先側芯材
５４ａ  斜面部
５４ｂ  表側面
５４ｃ  裏側面
５４ｄ  戸先稜角面
５４ｅ，５４ｆ，５４ｇ  角部
５６  後端側芯材
５６ｂ  表側面
５６ｃ  裏側面
５６ｄ  稜角面部
５６ｅ，５６ｆ  角部
５８  架設体
６０  表面シート
６２  第１表面板材
６２ａ  貼着面
６２ｂ  斜め対向面
６２ｃ  斜め対向面
６４  第２表面板材
６４ａ  貼着面
６４ｂ  斜め対向面
６４ｃ  斜め対向面
６６  第３表面板材
６６ａ  貼着面
６６ｂ  対向面
６６ｃ  斜め対向面
６８  第４表面板材
６８ａ  貼着面
６８ｂ  斜め対向面
６８ｃ  斜め対向面
７０  第５表面板材
７０ａ  貼着面
７０ｂ  斜め対向面
７０ｃ  斜め対向面
７２  第６表面板材
７２ａ  貼着面
７２ｂ  斜め対向面
７２ｃ  対向面
７４  第７表面板材
７４ａ  貼着面
７４ｂ  対向面
７４ｃ  対向面
８０  表面板材素材
１５０  芯材
１５２  表面材
１５４  戸先側芯材
１５４ａ  斜面部
１５４ｂ  裏側面
１５４ｃ  表側面
１５４ｄ  戸先稜角面
１５４ｅ，１５４ｆ，１５４ｇ  角部
１５６  後端側芯材
１５６ｂ  裏側面
１５６ｃ  表側面
１５６ｄ  稜角面部
１５６ｅ，１５６ｆ  角部
１５８  架設体
１６０  表面シート
１６２  第１表面板材
１６２ａ  貼着面
１６２ｂ  斜め対向面
１６２ｃ  斜め対向面
１６４  第２表面板材
１６４ａ  貼着面
１６４ｂ  斜め対向面
１６４ｃ  斜め対向面
１６６  第３表面板材
１６６ａ  貼着面
１６６ｂ  斜め対向面
１６６ｃ  斜め対向面
１６８  第４表面板材
１６８ａ  貼着面
１６８ｂ  斜め対向面
１６８ｃ  斜め対向面
１７０  第５表面板材
１７０ａ  貼着面
１７０ｂ  斜め対向面
１７０ｃ  斜め対向面
１７２  第６表面板材
１７２ａ  貼着面
１７２ｂ  斜め対向面
１７２ｃ  対向面
１７４  第７表面板材
１７４ａ  貼着面
１７４ｂ  対向面
１７４ｃ  対向面
２０２  引きスライド扉
２１２  上扉支持体
２１２ａ  支持腕
２１２ｂ  ローラ
２１２ｃ  案内体
２１４  下扉支持体
２１４ａ  振止具
２０４  スライド扉
２１６  上扉支持体
２１６ａ  支持腕
２１６ｂ  ローラ
２１８  下扉支持体
２１８ａ  振止具
２２０  上レール装置
２２２  レールブラケット
２２４  上・前ガイドレール
２２６  上ガイドレール支持体
２２８  レールロック機構
２３０  上・奥ガイドレール
２３２  案内ブロック
２３２ａ  ガイド溝
２３２ｂ  枢軸
２４０  下レール装置
２４２  下・前ガイドレール
２４２ａ  レール溝
２４４ａ  レール溝
２４２ｂ  突縁
２４４ｂ  突縁
２４４  下・奥ガイドレール
２４６ａ，２４６ｂ  転換路
２４８ａ，２４８ｂ  主路
【図１】
2007321370.tif 000003
【図２】
2007321370.tif 000004
【図３】
2007321370.tif 000005
【図４】
2007321370.tif 000006
【図５】
2007321370.tif 000007
【図６】
2007321370.tif 000008
【図７】
2007321370.tif 000009
【図８】
2007321370.tif 000010
【図９】
2007321370.tif 000011
【図１０】
2007321370.tif 000012
【図１１】
2007321370.tif 000013
【図１２】
2007321370.tif 000014
【図１３】
2007321370.tif 000015
【図１４】
2007321370.tif 000016
【図１５】
2007321370.tif 000017
【図１６】
2007321370.tif 000018
【図１７】
2007321370.tif 000019
【図１８】
2007321370.tif 000020
【図１９】
2007321370.tif 000021
【図２０】
2007321370.tif 000022
【図２１】
2007321370.tif 000023
【図２２】
2007321370.tif 000024